【手続補正書】
【提出日】平成24年6月22日(2012.6.22)
【手続補正１】
【補正対象書類名】特許請求の範囲
【補正対象項目名】全文
【補正方法】変更
【補正の内容】
【特許請求の範囲】
【請求項１】
第１画像処理装置と第２画像処理装置とを含む画像処理システムであって、
前記第１画像処理装置は、
前記第２画像処理装置にて実行されるジョブのうち、前記第１画像処理装置にログインしているユーザのジョブに所定のイベントが発生した場合に該所定のイベントの発生を通知するよう前記第２画像処理装置に要求する要求手段と、
前記第２画像処理装置から前記所定のイベントの発生が通知された場合に、前記所定のイベントが発生したジョブに対する指示を前記ログインしているユーザから受け付ける受付手段と、
前記受付手段により前記指示が受け付けられた場合に、前記指示を前記第２画像処理装置に送信する送信手段と、
を有し、
前記第２画像処理装置は、
前記要求手段による要求を受信する受信手段と、
前記受信手段により前記要求が受信された場合であって、前記第２画像処理装置にて実行されるジョブのうち、前記第１画像処理装置にログインしたユーザのジョブに前記所定のイベントが発生した場合に、前記所定のイベントの発生を前記第１画像処理装置に通知するイベント通知手段と、
前記送信手段により送信された前記指示に基づいて前記所定のイベントが発生したジョブを制御する制御手段と、
を有することを特徴とする画像処理システム。
【請求項２】
前記第２画像処理装置は、
前記要求手段による要求に含まれる前記ユーザを識別するための識別情報に基づいて、前記１画像処理装置にログインしたユーザが前記第２画像処理装置にて実行されるジョブの操作権限を有するか否かを判断する判断手段を更に有し、
前記イベント通知手段は、前記判断手段により前記１画像処理装置にログインしたユーザが前記第２画像処理装置にて実行されるジョブの操作権限を有すると判断された場合に、前記操作権限を示すアクセス制限情報とともに前記所定のイベントの発生を通知することを特徴とする請求項１に記載の画像処理システム。
【請求項３】
前記第１画像処理装置は、
前記操作権限を示すアクセス制限情報が前記第２画像処理装置から通知された場合に、前記所定のイベントが発生したジョブの操作を行うための操作画面を表示する表示制御手段を更に有することを特徴とする請求項２に記載の画像処理システム。
【請求項４】
前記要求手段は、
前記第１画像処理装置にログインしたユーザを示すユーザ情報と、前記所定のイベントの通知先とを少なくとも含むパケットを生成するパケット生成手段と、
前記要求として、前記パケット生成手段により生成された前記パケットを前記第２画像処理装置に送信するパケット送信手段と
を有することを特徴とする請求項１乃至３の何れか１項に記載の画像処理システム。
【請求項５】
前記パケット生成手段は、前記所定のイベントが発生した場合の通知条件を前記パケットに設定し、
前記イベント通知手段は、前記所定のイベントが発生した場合であって、かつ、前記通知条件を満たす場合に前記所定のイベントの発生を通知することを特徴とする請求項４に記載の画像処理システム。
【請求項６】
前記イベント通知手段は、前記通知条件として、前記所定のイベントが発生したジョブの実行が完了した場合に前記所定のイベントの発生を通知することを特徴とする請求項５に記載の画像処理システム。
【請求項７】
前記イベント通知手段は、前記通知条件として、前記ユーザからの指示が必要となった場合に前記所定のイベントの発生を通知することを特徴とする請求項５に記載の画像処理システム。
【請求項８】
前記第１画像処理装置は、
前記イベント通知手段により通知された前記所定のイベントが前記第２画像処理装置にて実行されるジョブの中断を示す場合に、該ジョブの処理内容を示す属性情報を前記第２画像処理装置から取得する手段と、
ネットワークを介して接続された複数の画像処理装置の画像処理能力を示す能力情報を取得する手段と、
前記属性情報及び前記能力情報とから、前記複数の画像処理装置において前記第２画像処理装置にて中断されたジョブを処理可能であるか否かを決定する手段と、
前記中断されたジョブを処理可能であると決定された画像処理装置を選択可能に表示する手段と
を更に有することを特徴とする請求項１乃至７の何れか１項に記載の画像処理システム。
【請求項９】
前記指示は、前記第２画像処理装置にて実行されるジョブのキャンセルを行うための指示であることを特徴とする請求項１乃至８の何れか１項に記載の画像処理システム。
【請求項１０】
ユーザ認証を行い、該ユーザ認証されたユーザを前記第１画像処理装置にログインさせる認証手段を更に有することを特徴とする請求項１乃至９の何れか１項に記載の画像処理システム。
【請求項１１】
第２画像処理装置と通信する第１画像処理装置であって、
前記第２画像処理装置にて実行されるジョブのうち、前記第１画像処理装置にログインしているユーザのジョブに所定のイベントが発生した場合に該所定のイベントの発生を通知するよう前記第２画像処理装置に要求する要求手段と、
前記第２画像処理装置から前記所定のイベントの発生が通知された場合に、前記所定のイベントが発生したジョブに対する指示を前記第１画像処理装置にログインしているユーザから受け付ける受付手段と、
前記受付手段により前記指示が受け付けられた場合に、前記指示を前記第２画像処理装置に送信する送信手段と、
を有することを特徴とする第１画像処理装置。
【請求項１２】
前記ログインしたユーザが前記第２画像処理装置にて実行されるジョブの操作権限を有することを示すアクセス制限情報が前記所定のイベントの発生とともに前記第２画像処理装置から通知された場合に、前記所定のイベントが発生したジョブの操作を行うための操作画面を表示する表示制御手段を更に有することを特徴とする請求項１１に記載の第１画像処理装置。
【請求項１３】
前記要求手段は、
前記第１画像処理装置にログインしたユーザを示すユーザ情報と、前記所定のイベントの通知先とを少なくとも含むパケットを生成するパケット生成手段と、
前記要求として、前記パケット生成手段により生成された前記パケットを前記第２画像処理装置に送信するパケット送信手段と
を更に有することを特徴とする請求項１１又は１２に記載の第１画像処理装置。
【請求項１４】
第１画像処理装置と第２画像処理装置とを含む画像処理システムの制御方法であって、
前記第１画像処理装置において、
要求手段が、前記第２画像処理装置にて実行されるジョブのうち、前記第１画像処理装置にログインしているユーザのジョブに所定のイベントが発生した場合に当該所定のイベントの発生を通知するよう前記第２画像処理装置に要求する要求ステップと、
受付手段が、前記要求ステップによる要求に応答して前記第２画像処理装置から前記所定のイベントの発生が通知された場合に、前記所定のイベントが発生したジョブに対する指示を前記ログインしているユーザから受け付ける受付ステップと、
送信手段が、前記受付ステップにて前記指示が受け付けられた場合に、前記指示を前記第２画像処理装置に送信する送信ステップと、
を実行し、
前記第２画像処理装置において、
受信手段が、前記要求ステップによる要求を受信する受信ステップと、
通知手段が、前記受信ステップにて前記要求が受信された場合であって、前記第２画像処理装置にて実行されるジョブのうち、前記第１画像処理装置にログインしているユーザのジョブに前記所定のイベントが発生した場合に、前記所定のイベントの発生を前記第１画像処理装置に通知するイベント通知ステップと、
制御手段が、前記送信ステップにて送信された前記指示に基づいて前記所定のイベントが発生したジョブを制御する制御ステップと、
を実行することを特徴とする画像処理システムの制御方法。
【請求項１５】
第２画像処理装置と通信する第１画像処理装置の制御方法であって、
要求手段が、前記第２画像処理装置にて実行されるジョブのうち、前記第１画像処理装置にログインしているユーザのジョブに所定のイベントが発生した場合に該所定のイベントの発生を通知するよう前記第２画像処理装置に要求する要求ステップと、
受付手段が、前記第２画像処理装置から前記所定のイベントの発生が通知された場合に、前記所定のイベントが発生したジョブに対する指示を前記第１画像処理装置にログインしているユーザから受け付ける受付ステップと、
送信手段が、前記受付ステップにおいて前記指示が受け付けられた場合に、前記指示を前記第２画像処理装置に送信する送信ステップと、
を実行することを特徴とする第１画像処理装置の制御方法。
【請求項１６】
第１画像処理装置に、
要求手段が、前記第２画像処理装置にて実行されるジョブのうち、前記第１画像処理装置にログインしているユーザのジョブに所定のイベントが発生した場合に当該所定のイベントの発生を通知するよう前記第２画像処理装置に要求する要求ステップと、
受付手段が、前記要求ステップによる要求に応答して前記第２画像処理装置から前記所定のイベントの発生が通知された場合に、前記所定のイベントが発生したジョブに対する指示を前記ログインしているユーザから受け付ける受付ステップと、
送信手段が、前記受付ステップにて前記指示が受け付けられた場合に、前記指示を前記第２画像処理装置に送信する送信ステップと、
を実行させ、
前記第１画像処理装置と通信する第２画像処理装置において、
受信手段が、前記要求ステップによる要求を受信する受信ステップと、
通知手段が、前記受信ステップにて前記要求が受信された場合であって、前記第２画像処理装置にて実行されるジョブのうち、前記第１画像処理装置にログインしているユーザのジョブに前記所定のイベントが発生した場合に、前記所定のイベントの発生を前記第１画像処理装置に通知するイベント通知ステップと、
制御手段が、前記送信ステップにて送信された前記指示に基づいて前記所定のイベントが発生したジョブを制御する制御ステップと、
を実行させることを特徴とするプログラム。
【請求項１７】
第２画像処理装置と通信する第１画像処理装置に、
前記第２画像処理装置にて実行されるジョブのうち、前記第１画像処理装置にログインしているユーザのジョブに所定のイベントが発生した場合に当該イベントの発生を通知するよう前記第２画像処理装置に要求する要求ステップと、
前記要求ステップによる要求に応答して前記第２画像処理装置から前記所定のイベントの発生が通知された場合に、前記所定のイベントが発生したジョブに対する指示を前記第１画像処理装置にログインしているユーザから受け付ける受付ステップと、
前記受付ステップにて前記指示が受け付けられた場合に、前記指示を前記第２画像処理装置に送信する送信ステップと、
を実行させることを特徴とするプログラム。
【手続補正２】
【補正対象書類名】明細書
【補正対象項目名】発明の名称
【補正方法】変更
【補正の内容】
【発明の名称】画像処理システム、画像処理装置、それらの制御方法、及びプログラム
【手続補正３】
【補正対象書類名】明細書
【補正対象項目名】０００１
【補正方法】変更
【補正の内容】
【０００１】
本発明は、外部装置と通信を行う画像処理システム、画像処理装置、それらの制御方法、及びプログラムに関するものである。
【手続補正４】
【補正対象書類名】明細書
【補正対象項目名】０００９
【補正方法】変更
【補正の内容】
【０００９】
本発明は、第１画像処理装置と第２画像処理装置とを含む画像処理システムであって、前記第１画像処理装置は、前記第２画像処理装置にて実行されるジョブのうち、前記第１画像処理装置にログインしているユーザのジョブに所定のイベントが発生した場合に該所定のイベントの発生を通知するよう前記第２画像処理装置に要求する要求手段と、前記第２画像処理装置から前記所定のイベントの発生が通知された場合に、前記所定のイベントが発生したジョブに対する指示を前記ログインしているユーザから受け付ける受付手段と、前記受付手段により前記指示が受け付けられた場合に、前記指示を前記第２画像処理装置に送信する送信手段と、を有し、前記第２画像処理装置は、前記要求手段による要求を受信する受信手段と、前記受信手段により前記要求が受信された場合であって、前記第２画像処理装置にて実行されるジョブのうち、前記第１画像処理装置にログインしたユーザのジョブに前記所定のイベントが発生した場合に、前記所定のイベントの発生を前記第１画像処理装置に通知するイベント通知手段と、前記送信手段により送信された前記指示に基づいて前記所定のイベントが発生したジョブを制御する制御手段と、を有することを特徴とする。また、本発明は、第２画像処理装置と通信する第１画像処理装置であって、前記第２画像処理装置にて実行されるジョブのうち、前記第１画像処理装置にログインしているユーザのジョブに所定のイベントが発生した場合に該所定のイベントの発生を通知するよう前記第２画像処理装置に要求する要求手段と、前記第２画像処理装置から前記所定のイベントの発生が通知された場合に、前記所定のイベントが発生したジョブに対する指示を前記第１画像処理装置にログインしているユーザから受け付ける受付手段と、前記受付手段により前記指示が受け付けられた場合に、前記指示を前記第２画像処理装置に送信する送信手段と、を有することを特徴とする。